(57)【要約】      （修正有）【課題】従来の合成パネル橋梁に比べて、施工性に優れ、現場でのさらなる急速施工が可能となり、構造的にも安定した合成パネル橋梁の架設構造および架設方法を提供する。【解決手段】パネルユニット１は、橋軸方向の主桁２と、主桁２の上面に固定された底鋼板３と、底鋼板３の上面に橋軸方向に間隔をおいて配置された複数のＩ形鋼４とを構成要素とし、底鋼板３の上面に床版コンクリート５が一体化されている。パネルユニット１を脚台と橋脚または橋脚間に架設し、橋軸直角方向に複数並列配置して連結する。パネルユニット１の主桁２の端部は上フランジ側の一部が突出部２ａとして突出しており、この突出部２ａを横桁１５の上面に載置する。横桁１５を挟んで橋軸方向に連続するパネルユニット１の主桁２の突出部２ａどうしをスプライスプレート２１、２２を介してボルト接合により連結する。【選択図】図１１
2019199711.tif 000002
【特許請求の範囲】
【請求項１】
上下フランジとウェブまたは下フランジとウェブを備えた橋軸方向の主桁と、前記主桁の上面に固定された底鋼板と、前記底鋼板の上面に橋軸方向に間隔をおいて配置された複数の形鋼とを構成要素とするパネルユニットが橋軸直角方向に複数並列配置されて連結され、前記底鋼板の上面に床版コンクリートが一体化されてなる合成パネル橋梁の架設構造において、
前記パネルユニットを構成する主桁の少なくとも一端が、橋脚上に支承を介して設置された橋梁の中間支点部を構成する橋軸直角方向の横桁で支持されており、前記主桁の端部は該主桁の上フランジ側の一部が突出部として残された形で切欠かれた形状となっており、前記突出部が前記横桁の上面に載置された状態で、前記横桁を挟んで橋軸方向に連続するパネルユニットの主桁の突出部どうしがスプライスプレートを介してボルト接合により連結されていることを特徴とする合成パネル橋梁の架設構造。
【請求項２】
請求項１記載の合成パネル橋梁の架設構造において、橋軸直角方向に複数並列配置されて連結される前記パネルユニットのうち、一部のパネルユニットは前記橋軸方向の主桁を有さず、底鋼板と、前記底鋼板の上面に橋軸方向に間隔をおいて配置された複数の形鋼とを構成要素とするパネルユニットであることを特徴とする合成パネル橋梁の架設構造。
【請求項３】
請求項１または２記載の合成パネル橋梁の架設構造において、前記突出部の下側の切欠部には、橋軸と直交する型枠兼用の支圧プレートが設けられており、前記横桁を挟む両側の支圧プレート間に前記中間支点部を構成するコンクリートが打設されていることを特徴とする合成パネル橋梁の架設構造。
【請求項４】
請求項１、２または３記載の合成パネル橋梁の架設構造において、前記パネルユニットが前記底鋼板の上面にあらかじめ前記床版コンクリートが一体化されたプレキャスト合成床版パネルユニットであることを特徴とする合成パネル橋梁の架設構造。
【請求項５】
請求項４記載の合成パネル橋梁の架設構造において、前記横桁を挟む両側の支圧プレート間に打設される中間支点部のコンクリート内の配筋として、プレキャストである前記床版コンクリートの床版内配力筋を外部に突出させ、前記横桁の反対側面まで定着長以上突出させた位置で下方に折り曲げたフック形状とし、このフック形状に折り曲げた部分を、前記横桁を取り巻く形で配筋された横桁巻立てコンクリート内鉄筋と重ね継手となるように配置してあることを特徴とする合成パネル橋梁の架設構造。
【請求項６】
請求項１、２または３記載の合成パネル橋梁の架設構造において、前記床版コンクリートが前記パネルユニットの上面に現場で打設されて一体化された現場打ちコンクリートによる床版コンクリートであることを特徴とする合成パネル橋梁の架設構造。
【請求項７】
請求項４または５記載の架設構造を有する合成パネル橋梁の架設方法であって、
新設の橋脚、床版および橋桁が撤去された既設の橋脚の上面に複数の支承を介して橋軸直角方向の横桁を設置する工程と、
前記パネルユニットを、前記突出部を前記横桁の上面に載置する形で橋脚間または橋脚と橋台との間に順次橋軸直角方向に複数並列させて架設する工程と、
橋軸直角方向に並列させて架設された前記複数のパネルユニットどうしを接続する工程と、
前記横桁を挟んで隣接する径間の橋軸方向に連続するパネルユニットの主桁の突出部どうしをスプライスプレートを介してボルト接合により連結する工程と、
を有することを特徴とする合成パネル橋梁の架設方法。
【請求項８】
請求項７記載の合成パネル橋梁の架設方法において、橋軸直角方向に並列させて架設された前記パネルユニットどうしの接続部には間詰めコンクリートを打設することを特徴とする合成パネル橋梁の架設方法。
【請求項９】
請求項６記載の架設構造を有する合成パネル橋梁の架設方法であって、
新設の橋脚、床版および橋桁が撤去された既設の橋脚の上面に複数の支承を介して橋軸直角方向の横桁を設置する工程と、
前記パネルユニットを、前記突出部を前記横桁の上面に設置する形で橋脚間または橋脚と橋台との間に順次橋軸直角方向に複数並列させて架設する工程と、
橋軸直角方向に並列させて架設された前記複数のパネルユニットどうしを接続する工程と、
前記横桁を挟んで隣接する径間の橋軸方向に連続するパネルユニットの主桁の突出部どうしをスプライスプレートを介してボルト接合により連結する工程と、
前記連結された前記パネルユニットの前記底鋼板の上面に前記床版コンクリートを現場打ちする工程と、
を有することを特徴とする合成パネル橋梁の架設方法。
【発明の詳細な説明】
【技術分野】
【０００１】
本発明は、道路橋などに用いられる合成パネル橋梁の架設構造および架設方法に関するものである。
【背景技術】
【０００２】
橋梁の施工においては、交通規制や施工コストの問題などから急速施工が可能な工法が期待されている。特に、既設橋梁の老朽化に対し床版の架け替えを行う場合には、既設橋梁の周辺も含め、交通規制が必要となることから急速施工の必要性が高い。
【０００３】
例えば、特許文献１には、所要の剛性を有し、かつ製作コストを低減した鋼・コンクリートの合成パネル構造と、その合成パネルを用いて現地工期短縮および施工の単純化を図った合成パネル橋梁の施工方法が記載されている。
【０００４】
特許文献１記載の合成パネルは、底鋼板の下面に間隔をおいて配置した主桁の役割を担う複数の縦桁が固定され、底鋼板の上面には縦桁と直交方向にＩ形鋼などの形鋼からなりジベルの機能を持たせた横リブが間隔をおいて固定配置され、横リブが埋没するように現場打ちの床版コンクリートが充填された構造のものである。
【先行技術文献】
【特許文献】
【０００５】
【特許文献１】特開２００４−１３７６８６号公報
【発明の概要】
【発明が解決しようとする課題】
【０００６】
上述のように、特許文献１記載の発明は、鋼・コンクリートの合成床版構造の橋梁の現地工期短縮および施工の単純化を図ったものであり、例えば以下のような効果が述べられている。
【０００７】
横リブで底鋼板を補剛し、かつコンクリートと一体化した高い剛性を有する合成パネル構造であり、合成パネルの縦桁が主桁の役割を担っているため別に主桁を架設する必要がなく架設工程を省略し、しかも桁下の作業足場が不要である、底鋼板は型枠を兼用しているため床版コンクリート打設時に型枠設置の必要がない、そのため、現地での合成パネルの設置作業の工期短縮やコスト削減に大きな効果を奏する。
【０００８】
輸送等の制約から合成パネルを分割する場合においても、縦桁直交方向に分割した分割パネルを中間パネルの底鋼板上面に固定した横リブを介して床版コンクリートの付着で結合しているので、分割パネルの結合作業が底鋼板上から極めて簡単にできると共に完成後に溶接部の疲労欠陥が生じる問題もない。
【０００９】
合成パネルの縦桁を主桁として用い、縦桁端部に横梁を固定したものを橋脚や橋台に設置するのみで極めて短工期、かつ容易にパネル橋梁を構築できる。
【００１０】
特に片側車線を供用しながら既設橋梁を架け替える工法において、分割パネルを用いると既設橋梁の一方の片側車線を供用しながら他方の片側車線分を解体撤去して、支点橋脚間に分割パネルと中間パネルを設置し床版コンクリートを打設して短工期で片側車線毎に橋梁の架け替えを行うことができる。
【００１１】
なお、この特許文献１記載の合成パネルにおいて、合成床版を構成するコンクリートは現場打ちである。  
【００１２】
ところで、近年は既設橋梁の老朽化や大型車交通量の増加による床版の劣化が特に深刻である一方、合成桁のＲＣ床版のはつりによる撤去が困難であること、道路橋示方書改訂による設計計算法が現在と異なる（疲労設計の有無など）ことや桁の劣化まで考慮すれば、桁ごと床版を撤去し、桁と床版が一体化となったパネルユニットを使用することで施工性も向上し、橋梁全体の性能を向上させることが可能となる。
【００１３】
本発明は、上述のような背景のもと、特許文献１記載の発明の構造を改良し、施工性に優れ、現場でのさらなる急速施工が可能となり、構造的にも安定した合成パネル橋梁の架設構造および架設方法を提供することを目的としたものである。
【課題を解決するための手段】
【００１４】
本発明は、上下フランジとウェブまたは下フランジとウェブを備えた橋軸方向の主桁と、前記主桁の上面に固定された底鋼板と、前記底鋼板の上面に橋軸方向に間隔をおいて配置された複数の形鋼と、を構成要素とするパネルユニットが橋軸直角方向に複数並列配置されて連結され、前記底鋼板の上面に床版コンクリートが一体化されてなる合成パネル橋梁の架設構造において、前記パネルユニットを構成する主桁の少なくとも一端が、橋脚上に支承を介して設置された橋梁の中間支点部を構成する橋軸直角方向の横桁で支持されており、前記主桁の端部は該主桁の上フランジ側の一部が突出部として残された形で切欠かれた形状となっており、前記突出部が前記横桁の上面に載置された状態で、前記横桁を挟んで橋軸方向に連続するパネルユニットの主桁の突出部どうしがスプライスプレートを介してボルト接合により連結されていることを特徴とするものである。
【００１５】
本発明では中間支点部に横桁を設置し、パネルユニットを構成する主桁の突出部を横桁の上面に載置する構造であり、横桁に主桁を単純に載せるだけでパネルユニットが仮支持されるので、仮支持させた状態でずらすなどの調整も容易であり、またパネルユニットにわずかな製作誤差や施工誤差があった場合にも調整して接合することができる。
【００１６】
例えば特許文献１記載のパネル橋梁構造でも、図２９に示されるように、中間支点部において、橋脚上に支承を介して設置された横桁１５を利用して主桁２を支持しているが、横桁１５の側面に主桁２の端部を添接板４１やボルトで剛に接合する構造であるため、主桁２を支持した状態での横桁１５と主桁２の仕口部の接合作業に手間がかかり、また製作誤差や施工誤差に対する調整が難しい。
【００１７】
また、本発明では、中間支点部を挟むパネルユニットの主桁の突出部どうしを横桁を跨ぐ形でスプライスプレートを介してボルト接合しており、合成パネル橋梁としての一体性も高い。
【００１８】
床版面の高さをできるだけ低く抑えるためには、横桁の高さとパネルユニットの主桁の突出部の高さとで調整することができる。
【００１９】
また、本発明において、横桁は橋脚上に支承を介して設置されるため、例えば桁ごと床版を撤去して架け替えを行う場合などにおいて、既存の支承を利用したり、あるいは取り外した支承位置に新たな支承を設置するなどして横桁を設置することができる。
【００２０】
また、架け替え時の交通規制を最小限にすることを目的に、架け替え前に現支承位置とは異なる位置に支承用のアンカーホールを事前に削孔し、新規位置に支承を設置して横桁を設置することもできる。
【００２１】
その場合、架け替えで主桁の位置や本数が変わる場合、例えば３主桁から４主桁に変わる場合などでも、支承位置を変えずに、横桁上面の任意の位置にパネルユニットの主桁を架設することができる。
【００２２】
なお、本発明の架設構造は既設橋梁の床版を架け替える場合に限らず、新設の橋梁の施工にも適用することができる。
【００２３】
上述の橋軸直角方向に複数並列配置されるパネルユニットは、全てのパネルユニットが一体化された主桁を有する場合に限らず、一部のパネルユニットについては主桁を有さないパネルユニット、すなわち底鋼板と底鋼板の上面に橋軸方向に間隔をおいて配置された複数の形鋼とを構成要素とするパネルユニットを用いることもできる。
【００２４】
本発明の合成パネル橋梁の架設構造において、中間支点部の構造としては、例えば前述の主桁端部の突出部の下側の切欠部位置に、橋軸と直交する型枠兼用の支圧プレートを設け、横桁を挟む両側の支圧プレート間にコンクリートが打設される構造とすることができる。
【００２５】
本発明の合成パネル橋梁の架設構造において、パネルユニットは底鋼板の上面にあらかじめ床版コンクリートが一体化されたプレキャスト合成床版パネルユニット（以下、「プレキャストパネルユニット」と呼ぶ）とすることができ、その場合、現場打ちコンクリートの作業がわずかとなり、大幅な施工性の向上、工期の短縮が図れる。
【００２６】
床版コンクリートがあらかじめ一体化されていることで、プレキャストパネルユニット自体の重量は大きくなるが、１径間分の主桁を一体化することも可能で、構造的な安定性は高い。
【００２７】
プレキャストパネルユニットを用いた場合も中間支点部については、コンクリートが現場打ちとなるが、合成パネル橋梁の中間支点部配筋構造としては、例えば、横桁を挟む両側の支圧プレート間に打設される中間支点部のコンクリート内の配筋として、床版コンクリートの床版内配力筋を外部に突出させ、横桁の反対側面まで突出させた位置で下方に折り曲げたフック形状とし、このフック形状に折り曲げた部分を、横桁を取り巻く形で配筋された横桁巻立てコンクリート内鉄筋と重ね継手となるように配置するといった構造が考えられる。
【００２８】
このような配筋構造とすることにより、床版どうしの連続化と横桁の定着の効果が期待でき、床版のひび割れに対する抵抗性の向上や横桁巻立てコンクリート量の低減および形状の単純化による型枠設置の作業時間短縮が可能となる。
【００２９】
また、本発明では、鋼構造のパネルユニットを用い、床版コンクリートは場所打ちとしてもよい。その場合は、鋼構造のパネルユニットどうしを接合した後に、床版コンクリートを打設する。
【００３０】
本発明において、パネルユニットがあらかじめ床版コンクリートを一体化したプレキャストパネルユニットの場合の合成パネル橋梁の架設方法では、新設の橋脚または床版と橋桁が撤去された既設の橋脚の上面に複数の支承を介して橋軸直角方向の横桁を設置する工程と、前記パネルユニットを、前記突出部を前記横桁の上面に載置する形で橋脚間または橋脚と橋台との間に順次橋軸直角方向に複数並列させて架設する工程と、橋軸直角方向に並列させて架設された前記複数のパネルユニットどうしを接続する工程と、前記横桁を挟んで隣接する径間の橋軸方向に連続するパネルユニットの主桁の突出部どうしをスプライスプレートを介してボルト接合により連結する工程とを有することを特徴とする。
【００３１】
この場合、橋軸直角方向に並列させて架設されたパネルユニットどうしの接続部（橋軸直角方向の継手部）には、間詰めコンクリートを打設することで並列するパネルユニットどうしを一体化することができる。なお、その場合、間詰めコンクリート打設部分は下側に主桁を有することで十分な剛性を備えた継手部となっており、上方の軸方向の鉄筋の定着方法は限定されない。
【００３２】
本発明において、床版コンクリートが現場打ちの場合の合成パネル橋梁の架設方法では、新設の橋脚または床版と橋桁が撤去された既設の橋脚の上面に複数の支承を介して橋軸直角方向の横桁を設置する工程と、前記パネルユニットを、前記突出部を前記横桁の上面に載置する形で橋脚間または橋脚と橋台との間に順次橋軸直角方向に複数並列させて架設する工程と、橋軸直角方向に並列させて架設された前記複数のパネルユニットどうしを接続する工程と、前記横桁を挟んで隣接する径間の橋軸方向に連続するパネルユニットの主桁の突出部どうしをスプライスプレートを介してボルト接合により連結する工程と、前記連結された前記パネルユニットの前記底鋼板の上面に前記床版コンクリートを現場打ちする工程とを有することを特徴とする。
【発明の効果】
【００３３】
本発明の合成パネル橋梁の架設構造および架設方法は、従来の合成パネル橋梁に比べて、施工性に優れ、現場でのさらなる急速施工が可能となり、構造的にも安定している。
【００３４】
すなわち、本発明では中間支点部に横桁を設置し、パネルユニットを構成する主桁の突出部を横桁の上面に載置する構造としているため、横桁に主桁を単純に載せるだけでパネルユニットを仮支持させることができ、仮支持させた状態で橋軸直角方向、橋軸方向ともにわずかにずらすなどの調整も容易である。また、パネルユニットにわずかな製作誤差や施工誤差があった場合にも調整して接合することができる。
【００３５】
また、本発明では、中間支点部を挟むパネルユニットの主桁の突出部どうしを横桁を跨ぐ形で接合しており、合成パネル橋梁として連続桁構造に対応できる。
【００３６】
床版面の高さをできるだけ低く抑えるためには、横桁の高さとパネルユニットの主桁の突出部の下面の高さとで調整することができる。
【００３７】
本発明において、横桁は橋脚上に支承を介して設置されるため、例えば桁ごと床版を撤去して架け替えを行う場合などにおいて、既存の支承を利用したり、あるいは取り外した支承位置に新たな支承を設置するなどして横桁を設置することができる。
【００３８】
その場合、架け替えで主桁の位置や本数が変わる場合、例えば３主桁から４主桁に変わる場合などでも、支承位置を変えずに、横桁上面の任意の位置にパネルユニットの主桁を架設することができる。
【００３９】
架け替え時の交通規制を最小限にすることを目的に、架け替え前に現支承位置とは異なる位置に支承用のアンカーホールを事前に削孔し、新規位置に支承を設置して横桁を設置することもできる。
【００４０】
パネルユニットを底鋼板の上面にあらかじめ床版コンクリートが一体化されたプレキャストパネルユニットとした場合は、現場打ちコンクリートの作業がわずかとなり、大幅な施工性の向上、工期の短縮が図れる。その場合、プレキャストパネルユニット自体の重量は大きくなるが、パネルユニット内の主桁と床版とが一体化されていることで、構造的な安定性は高い。
【図面の簡単な説明】
【００４１】
【図１】本発明の合成パネル橋梁の架設構造および架設方法の第１実施形態（床版コンクリートがプレキャストの場合）における施工手順を示した斜視図である。
【図２】図１に続く施工手順を示した斜視図である。
【図３】図２に続く施工手順を示した斜視図である。
【図４】図３に続く施工手順を示した斜視図である。
【図５】図４に続く施工手順を示した斜視図である。
【図６】図５に続く施工手順を示した斜視図である。
【図７】図６に続く施工手順を示した斜視図である。
【図８】図７に続く施工手順を示した斜視図である。
【図９】図８の状態を異なる方向から示した斜視図である。
【図１０】第１実施形態の中間支点部における接合構造を示した斜視図である。
【図１１】(a)は図１０に対応する主桁の接合部を床版コンクリートの一部を切欠いて示した上からの斜視図、(b)は図１０に対応する主桁の接合部の橋軸直角方向の床版を除いた断面図である。
【図１２】第１実施形態における中間支点部における施工手順の詳細を示した斜視図である。
【図１３】図１２に続く施工手順を示した斜視図である。
【図１４】図１３に続く施工手順を示した斜視図である。
【図１５】図１４に続く施工手順を示した斜視図である。
【図１６】図１５に続く施工手順を示した斜視図である。
【図１７】図１６に続く施工手順を示した斜視図である。
【図１８】図１７に続く施工手順を示した斜視図である。
【図１９】図１８に続く施工手順を示した斜視図である。
【図２０】本発明の合成パネル橋梁の架設構造および架設方法の第２実施形態（床版コンクリートがプレキャストの場合において、一部のパネルユニットは橋軸方向の主桁を有さない場合）における施工手順を示した斜視図である。
【図２１】図２０に続く施工手順を示した斜視図である。
【図２２】図２１に続く施工手順を示した斜視図である。
【図２３】図２２で用いられるパネルユニットを拡大して示した斜視図である。
【図２４】図２２に続く施工手順を示した斜視図である。
【図２５】図２４で用いられるパネルユニットを拡大して示した斜視図である。
【図２６】本発明の合成パネル橋梁の架設構造および架設方法の第３実施形態（床版コンクリートが現場打ちの場合）の中間支点部における施工手順の詳細を示した斜視図である。
【図２７】図２６に続く施工手順を示した斜視図である。
【図２８】図２７に続く施工手順を示した斜視図である。
【図２９】図２８に続く施工手順を示した斜視図である。
【図３０】図２９に続く施工手順を示した斜視図である。
【図３１】図３０に続く施工手順を示した斜視図である。
【図３２】図３１に続く施工手順を示した斜視図である。
【図３３】図３２に続く施工手順を示した斜視図である。
【図３４】図３３に続く施工手順を示した斜視図である。
【図３５】先行技術としての特許文献１記載の発明における主桁端部の接合部分の斜視図である。
【発明を実施するための形態】
【００４２】
以下、本発明の具体的な実施形態を添付図面に基づいて説明する。
図１〜図９は、本発明の合成パネル橋梁の架設構造および架設方法の第１実施形態（床版コンクリートがプレキャストの場合）における施工手順を示したものである。
【００４３】
第１実施形態におけるパネルユニット１は、図８、図９および後述する図１０、図１１に示すように、１径間（橋台１１と橋脚１２間、または隣り合う橋脚１２間の距離に相当）に相当する長さを有する橋軸方向の主桁２と、主桁２の上面に固定された底鋼板３と、底鋼板３の上面に橋軸方向に間隔をおいて配置された複数の形鋼（本実施例ではＩ形鋼４）と、底鋼板３の上面に打設された床版コンクリート５とを構成要素とするプレキャスト合成パネルユニットである。
【００４４】
このパネルユニット１を橋台１１と橋脚１２または橋脚１２間に架設し、橋軸直角方向に複数並列配置して連結し、橋軸方向にも複数径間架設して行くことで鋼コンクリート合成構造の合成パネル橋梁が構築される。
【００４５】
なお、図示した実施例は、既設橋梁の老朽化に対し橋梁の床版と橋桁の架け替え工事を行う場合を想定した例であり、橋脚１２の既設の支承１４上に橋軸直角方向の横桁１５を設置し、パネルユニット１を構成する主桁２を橋台１１上に設置した支承１３と橋脚１２の横桁１５間に架設する構造としている。主桁２の横桁１５への架設部分は、主桁２の上フランジ側の一部が突出部２ａとして残された形で切欠かれた形状となっており、この突出部２ａを横桁１５の上面に載置している。
【００４６】
なお、ここでは詳細の説明は省略するが、パネルユニット１を構成する床版コンクリート５の橋軸直角方向の継手面は平面視で凹凸形状に形成されており、前述のＩ形鋼４が継手面の凹凸形状の凸部から突出しており、橋軸直角方向に隣り合うパネルユニット１どうしのうちの一方のパネルユニット１の継手位置では、凸部およびＩ形鋼４の端部が底鋼板３の端部より内側に位置しており、他方のパネルユニット１の継手位置では、凸部およびＩ形鋼４の端部が底鋼板３の端部より外側に張り出している。
【００４７】
そして、一方のパネルユニット１の底鋼板３上に、他方のパネルユニット１の凸部およびＩ形鋼４の端部の張出し部が載った状態で、双方のパネルユニット１の床版コンクリートの凸部およびＩ形鋼４の端部が橋軸方向に交互に位置し、橋軸方向にみて双方のＩ形鋼４の端部オーバーラップした状態で、継手部に間詰めコンクリートが打設される。
【００４８】
継手部で隣接する底鋼板３の端部どうしは、あらかじめ一方のパネルユニット１の底鋼板３の端部に取り付けておいた添接板とボルトなどを介して接合される。
【００４９】
次に、図１〜図９を参照して、本発明が適用される合成パネル橋梁の架設における施工手順を説明すると、以下の通りである。
【００５０】
(1) 横桁１５の設置（図１〜図２参照）
既設の床版と橋桁を取り除いた橋台１１上に主桁２の配置に応じた支承１３を設置する。橋脚１２側については、既設の支承１４を使用し、支承１４の上に、橋軸直角方向の横桁１５を設置する。
【００５１】
(2) パネルユニット１ａの架設（図３〜図４参照）
パネルユニット１ａを構成する主桁２を橋台１１上に設置した支承１３と橋脚１２の横桁１５間に架設する。主桁２の横桁１５への架設部分は、後に詳述する図１０、図１１に示すように、主桁２の上フランジ側の一部が突出部２ａとして残された形で切欠かれた形状となっており、この突出部２ａを横桁１５の上面に架設する。
【００５２】
パネルユニット１ａは、前述したように、橋軸直角方向の継手部の凹凸形状における凸部およびＩ形鋼４の端部が底鋼板３の端部より内側に位置している。
【００５３】
(3) パネルユニット１ｃの架設（図５〜図６参照）
同様に、凸部およびＩ形鋼４の端部が底鋼板３の端部より内側に位置しているパネルユニット１ｃを橋台１１上に設置した支承１３と橋脚１２の横桁１５間に架設する。
【００５４】
(4) パネルユニット１ｃの架設（図７〜図９参照）
凸部およびＩ形鋼４の端部が底鋼板３の端部より外側に張り出しているパネルユニット１ｃを橋台１１上に設置した支承１３と橋脚１２の横桁１５間に架設する。
【００５５】
パネルユニット１ｂの架設により、パネルユニット１ｂの両側の凸部およびＩ形鋼４の端部が両側のパネルユニット１ａ、１ｃの底鋼板３上に載る。隣接する底鋼板３どうしは前述のように、添接板とボルトを介して接合することができる。
【００５６】
以上の作業により、橋台１１と橋脚１２間の１径間の床版パネルの架設が行われる。続く径間についても基本的には同様の手順で架設を行うことができる。
【００５７】
図１０〜図１１は、第１実施形態の中間支点部における接合構造を示したものである。
主桁２の端部は主桁の上フランジ側の一部が突出部２ａとして残された形で切欠かれた形状となっており、突出部２ａが横桁１５の上面に載置された状態で、横桁１５を挟んで橋軸方向に連続するパネルユニット１の主桁２の突出部２ａどうしがスプライスプレート２１、２２を介してボルト接合により連結されている。
【００５８】
なお、図示した例では横桁１５の上面に載置される主桁２の突出部２ａの下面に架設用下フランジ２４を設けて架設部分の応力を分散させている。
【００５９】
本発明では中間支点部に横桁１５を設置し、パネルユニット１を構成する主桁２の突出部２ａを横桁１５の上面に載置する構造であり、横桁１５に主桁２の突出部２ａを単純に載せるだけでパネルユニット１が仮支持されるので、仮支持させた状態でずらすなどの調整も容易であり、パネルユニット１にわずかな製作誤差や施工誤差があった場合にも調整して接合することができる。
【００６０】
また、本発明では、中間支点部を挟むパネルユニット１の主桁２の突出部２ａどうしを横桁１５を跨ぐ形でスプライスプレート２１、２２を介してボルト接合しているため、合成パネル橋梁としての一体性も高い。
【００６１】
本発明の合成パネル橋梁の架設構造において、中間支点部の構造としては、例えば前述の主桁２の端部の突出部２ａの下側の切欠部位置に、橋軸と直交する型枠兼用の支圧プレート２３を設け、横桁１５を挟む両側の支圧プレート２３間にコンクリートを打設する。
【００６２】
プレキャストパネルユニット１を用いた場合も中間支点部については、コンクリートが現場打ちとなるが、合成パネル橋梁の中間支点部配筋構造として、図示した例では、横桁１５を挟む両側の支圧プレート２３間に打設される中間支点部のコンクリート内の配筋として、床版コンクリート５の床版内配力筋を外部に突出させ、それを横桁１５の反対側面まで定着長以上突出させた位置で下方に折り曲げたフック状突出部３２を、横桁１５を取り巻く形で配筋された横桁巻立てコンクリート内鉄筋３１と重ね継手となるように配置している（後述する図１４〜１７参照）。
【００６３】
このような配筋構造とすることにより，横桁１５を挟むプレキャストパネルユニット１どうしの連続化と横桁１５への定着の効果が期待でき、横桁巻立てコンクリート量の低減および形状の単純化による型枠設置の作業時間短縮が可能となる。
【００６４】
図中、符号２５は主桁２のウェブ側面と支圧プレート２３との間に複数段に設けた補剛プレート、２６は支圧プレート２３のコンクリート打設側面に配置したスタッドジベルである。
【００６５】
図１２〜図１９は、第１実施形態における中間支点部における施工手順の詳細を示したもので、以下の手順で作業を行う。なお、図１２〜図１９では作図上、横桁１５を短く描いている。
【００６６】
(1) 横桁巻立てコンクリート内鉄筋３１の配筋（図１２〜図１３参照）
横桁１５の周りに横桁巻立てコンクリート内鉄筋３１を配筋する。
【００６７】
(2) プレキャストパネルユニット１の架設（図１４〜図１５参照）
プレキャストパネルユニット１を構成する主桁２の突出部２ａを橋脚の横桁１５に架設する。このときプレキャストパネルユニット１を構成する床版コンクリート５の前述した床版内配力筋のフック状突出部３２が横桁巻立てコンクリート内鉄筋３１と重ね合わされ、後から打設される中間支点部のコンクリート内で重ね継手を形成する。
【００６８】
(3) 隣り合う径間のプレキャストパネルユニット１の架設（図１６〜図１７参照）
横梁１５を挟んで隣り合う径間のプレキャストパネルユニット１を同様に架設する。
【００６９】
(4) 中間支点部のコンクリート３３の打設（図１８〜図１９参照）
横桁１５の下フランジおよび支圧プレート２３を型枠の一部として中間支点部の型枠を組み、床版コンクリートの上面の高さまで中間支点部のコンクリート３３を現場打ちする。
【００７０】
図２０〜図２５は、本発明の合成パネル橋梁の架設構造および架設方法の第２実施形態として、床版コンクリートがプレキャストの場合において、一部のパネルユニットは橋軸方向の主桁を有さない場合における施工手順とパネルユニットの構造を示したものである。
【００７１】
一部のパネルユニットについて、橋軸方向の主桁を有さないパネルユニット１´を用いる点以外は、基本的に第１実施形態と同様である。
【００７２】
(1) 横桁１５の設置（図２０、図２１参照）
既設の床版と橋桁を取り除いた橋台１１上に主桁２の配置に応じた支承１３を設置する。橋脚１２への橋軸直角方向の横桁１５の設置については、第１実施形態と同様、既設の支承１４を使用し、支承１４の上に、橋軸直角方向の横桁１５を設置する。
【００７３】
(2) 主桁２を一体化したパネルユニット１の架設（図２２、図２３参照）
パネルユニット１を構成する主桁２を橋脚１２上に設置した横桁１５間に架設する。なお、パネルユニット１の片端が横桁１５を介さず、直接、橋台または橋脚上の支承上に架設される場合もある。
【００７４】
(3) 主桁２を有さないパネルユニット１´の架設（図２４、図２５参照）
第２実施形態では、主桁２を有さないパネルユニット１´も用いており、先に架設したパネルユニット１´間に、主桁２を有さないパネルユニット１´に架設して行く。
【００７５】
その他の構成および施工手順は、基本的に第１実施形態と同様であるので、共通する事項の説明は省略する。
【００７６】
図２６〜図３４は、本発明の合成パネル橋梁の架設構造および架設方法の第３実施形態（床版コンクリートが現場打ちの場合）の中間支点部における施工手順の詳細を示したもので、以下の手順で作業を行う。なお、図２６〜図３４も作図上、横桁１５を短く描いている。
【００７７】
(1) 横桁巻立てコンクリート内鉄筋３１の配筋（図２６〜図２７参照）
横桁１５の周りに横桁巻立てコンクリート内鉄筋３１を配筋する。
【００７８】
(2) パネルユニット１の架設（図２８〜図２９参照）
パネルユニット１を構成する主桁２の突出部２ａを橋脚の横桁１５に架設する。第２実施形態では床版コンクリートは後から現場打ちされるため、パネルユニット１は鋼だけの構造となっている。
【００７９】
(3) 隣り合う径間のパネルユニット１の架設（図３０〜図３１参照）
横梁１５を挟んで隣り合う径間のパネルユニット１を同様に架設する。
【００８０】
(4) 床版コンクリート部分の配筋（図３２〜図３３参照）
パネルユニット１の底鋼板３およびＩ形鋼の上に床版コンクリート部分の配筋を行う。
【００８１】
(5) 中間支点部のコンクリート３３の打設（図３４参照）
横桁１５の下フランジおよび支圧プレート２３を型枠の一部として中間支点部の型枠を組み、床版コンクリートの上面の高さまで中間支点部のコンクリート３３および床版コンクリート３４を現場打ちする。
【００８２】
なお、１径間ごとのパネルユニット１の架設は、第１実施形態についての図１〜図９に示したのと同様の施工手順で行うことができる。ただし、第２実施形態では底鋼板３上の床版コンクリートが後施工による現場打ちであるため、パネルユニット１の架設時は床版コンクリートがない状態である。
【符号の説明】
【００８３】
１…パネルユニット、２…主桁、２ａ…突出部、３…底鋼板、４…Ｉ形鋼、５…床版コンクリート、
１１…橋台、１２…橋脚、１３…支承、１４…支承、１５…横桁、
２１…スプライスプレート（ウェブ側面側）、２２…スプライスプレート（フランジ側）
２３…支圧プレート、２４…架設用下フランジ、２５…補剛リブ、２６…スタッドジベル、
３１…横桁巻立てコンクリート内鉄筋、３２…床版内配力筋のフック状突出部、３３…中間支点部のコンクリート、３４…床版コンクリート、３５…配筋
【図１】
2019199711.tif 000003
【図２】
2019199711.tif 000004
【図３】
2019199711.tif 000005
【図４】
2019199711.tif 000006
【図５】
2019199711.tif 000007
【図６】
2019199711.tif 000008
【図７】
2019199711.tif 000009
【図８】
2019199711.tif 000010
【図９】
2019199711.tif 000011
【図１０】
2019199711.tif 000012
【図１１】
2019199711.tif 000013
【図１２】
2019199711.tif 000014
【図１３】
2019199711.tif 000015
【図１４】
2019199711.tif 000016
【図１５】
2019199711.tif 000017
【図１６】
2019199711.tif 000018
【図１７】
2019199711.tif 000019
【図１８】
2019199711.tif 000020
【図１９】
2019199711.tif 000021
【図２０】
2019199711.tif 000022
【図２１】
2019199711.tif 000023
【図２２】
2019199711.tif 000024
【図２３】
2019199711.tif 000025
【図２４】
2019199711.tif 000026
【図２５】
2019199711.tif 000027
【図２６】
2019199711.tif 000028
【図２７】
2019199711.tif 000029
【図２８】
2019199711.tif 000030
【図２９】
2019199711.tif 000031
【図３０】
2019199711.tif 000032
【図３１】
2019199711.tif 000033
【図３２】
2019199711.tif 000034
【図３３】
2019199711.tif 000035
【図３４】
2019199711.tif 000036
【図３５】
2019199711.tif 000037
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
既設橋梁の床版および橋桁が撤去された既設の橋脚の上面に、プレキャスト合成床版パネルユニットを架設して合成パネル橋梁を形成する橋梁の架け替え方法であって、
前記プレキャスト合成床版パネルユニットは、上下フランジとウェブまたは下フランジとウェブを備えた橋軸方向の主桁と、前記主桁の上面に固定された底鋼板と、前記底鋼板の上面に橋軸方向に間隔をおいて配置された複数の形鋼と、前記底鋼板の上面にあらかじめ一体化された床版コンクリートを構成要素とし、
前記プレキャスト合成床版パネルユニットを構成する主桁の少なくとも一端は該主桁の上フランジ側の一部が突出部として残された形で切欠かれた形状となっており、
前記既設橋梁の床版および橋桁を撤去する工程と、
前記床版および橋桁が撤去された既設の橋脚の上面に複数の支承を介して橋軸直角方向の横桁を設置する工程と、
前記プレキャスト合成床版パネルユニットを、前記突出部を前記横桁の上面に載置する形で橋脚間または橋脚と橋台との間に順次橋軸直角方向に複数並列させて架設する工程と、
橋軸直角方向に並列させて架設された前記複数のプレキャスト合成床版パネルユニットどうしを接続する工程と、
前記横桁を挟んで隣接する径間の橋軸方向に連続するプレキャスト合成床版パネルユニットの主桁の突出部どうしをスプライスプレートを介してボルト接合により連結する工程と、
を有することを特徴とする橋梁の架け替え方法。
【請求項２】
請求項１記載の橋梁の架け替え方法において、前記横桁を挟む両側の支圧プレート間に打設される中間支点部のコンクリート内の配筋として、プレキャストである前記床版コンクリートの床版内配力筋を外部に突出させ、前記横桁の反対側面まで定着長以上突出させた位置で下方に折り曲げたフック形状とし、このフック形状に折り曲げた部分を、前記横桁を取り巻く形で配筋された横桁巻立てコンクリート内鉄筋と重ね継手となるように配置して、コンクリートを打設することを特徴とする橋梁の架け替え方法。
【請求項３】
請求項１または２記載の橋梁の架け替え方法において、橋軸直角方向に並列させて架設された前記プレキャスト合成床版パネルユニットどうしの接続部には間詰めコンクリートを打設することを特徴とする橋梁の架け替え方法。
【請求項４】
請求項１〜３の何れか一項に記載の橋梁の架け替え方法において、橋軸直角方向に複数並列配置されて連結される前記プレキャスト合成床版パネルユニットのうち、一部のプレキャスト合成床版パネルユニットは前記橋軸方向の主桁を有さず、底鋼板と、前記底鋼板の上面に橋軸方向に間隔をおいて配置された複数の形鋼とを構成要素とするプレキャスト合成床版パネルユニットであることを特徴とする橋梁の架け替え方法
【請求項５】
請求項１〜４の何れか一項に記載の橋梁の架け替え方法において、前記突出部の下側の切欠部には、橋軸と直交する型枠兼用の支圧プレートが設けられており、前記横桁を挟む両側の支圧プレート間に前記中間支点部を構成するコンクリートを打設することを特徴とする橋梁の架け替え方法。
【請求項６】
既設橋梁の床版および橋桁が撤去された既設の橋脚の上面に、パネルユニットを架設して合成パネル橋梁を形成する橋梁の架け替え方法であって、
前記パネルユニットは、上下フランジとウェブまたは下フランジとウェブを備えた橋軸方向の主桁と、前記主桁の上面に固定された底鋼板と、前記底鋼板の上面に橋軸方向に間隔をおいて配置された複数の形鋼とを構成要素とし、
前記パネルユニットを構成する主桁の少なくとも一端は該主桁の上フランジ側の一部が突出部として残された形で切欠かれた形状となっており、
前記既設橋梁の床版および橋桁を撤去する工程と、
前記床版および橋桁が撤去された既設の橋脚の上面に複数の支承を介して橋軸直角方向の横桁を設置する工程と、
前記パネルユニットを、前記突出部を前記横桁の上面に設置する形で橋脚間または橋脚と橋台との間に順次橋軸直角方向に複数並列させて架設する工程と、
橋軸直角方向に並列させて架設された前記複数のパネルユニットどうしを接続する工程と、
前記横桁を挟んで隣接する径間の橋軸方向に連続するパネルユニットの主桁の突出部どうしをスプライスプレートを介してボルト接合により連結する工程と、
前記連結された前記パネルユニットの前記底鋼板の上面に前記床版コンクリートを現場打ちする工程と、
を有することを特徴とする橋梁の架け替え方法。
【請求項７】
請求項６記載の橋梁の架け替え方法において、橋軸直角方向に複数並列配置されて連結される前記パネルユニットのうち、一部のパネルユニットは前記橋軸方向の主桁を有さず、底鋼板と、前記底鋼板の上面に橋軸方向に間隔をおいて配置された複数の形鋼とを構成要素とするパネルユニットであることを特徴とする橋梁の架け替え方法。
【手続補正３】
【補正対象書類名】明細書
【補正対象項目名】０００１
【補正方法】変更
【補正の内容】
【０００１】
本発明は、道路橋などの橋梁の架け替え方法における合成パネル橋梁の架設構造および架設方法に関するものである。
【手続補正４】
【補正対象書類名】明細書
【補正対象項目名】００３３
【補正方法】変更
【補正の内容】
【００３３】
本発明の橋梁の架け替え方法における合成パネル橋梁の架設構造および架設方法は、従来の合成パネル橋梁に比べて、施工性に優れ、現場でのさらなる急速施工が可能となり、構造的にも安定している。